(57)【要約】      （修正有）【課題】ＦＭラジオ受信機において、妨害信号を受信した場合にも、局部発振回路の発振周波数の所望の受信周波数からのずれを自動的に修正できるようにする。【解決手段】たとえば、キャパシタバンク１０７およびバリキャップＶＲ１の調整に応じた発振周波数により、ＯＳＣ１０６が発振する。すると、ミキサー１０３により生成された受信信号が、ＩＦ回路１０４によりＩＦ信号に変換される。この際、ＩＦ信号の周波数が得られないと、カウンタ回路１１０により擬似的に計測されたＯＳＣ１０６の発振周波数を、比較回路１１５により、Ｎ値および規格幅設定値をもとに演算回路１１３にて規格化され、規格値保持回路１１４で保持された規格値と比較する。この結果から、判定回路１１６により、ＯＳＣ１０６の発振周波数が規定の周波数範囲内にないと判定されると、そのずれを修正すべく、ＶＲ２制御回路１１７がバリキャップＶＲ２を微調整する。【選択図】図１
2008060706.tif 000002
【特許請求の範囲】
【請求項１】
受信状態にある送信信号の受信周波数に同調して発振する発振器と、
前記発振器の発振周波数を調整するための調整回路と、
前記発振器の発振周波数を計測する計測回路と、
任意の計測期間内における、前記計測回路での計測値を所望の規格値と比較し、前記発振周波数が規定の周波数範囲内にあるかを判定する判定回路と、
前記判定回路の判定結果にしたがって前記調整回路を制御する制御回路と
を具備したことを特徴とする受信機システム。
【請求項２】
さらに、前記送信信号を受信するための受信器、前記受信器で受信した前記送信信号を中間周波信号に変換する変換器、前記変換器の出力をもとに音声信号を生成するための生成回路を備えることを特徴とする請求項１に記載の受信機システム。
【請求項３】
前記任意の計測期間は、外部のコントローラより定期的に与えられる制御信号に応じて規定されることを特徴とする請求項１に記載の受信機システム。
【請求項４】
さらに、外部のコントローラより与えられる設定値および基準値に応じて前記所望の規格値を決定するための演算回路と、前記所望の規格値を保持する保持回路とを備えることを特徴とする請求項１に記載の受信機システム。
【請求項５】
さらに、外部のコントローラより与えられる設定値および前記計測回路より与えられる基準値に応じて前記所望の規格値を決定するための演算回路と、前記所望の規格値を保持する保持回路とを備えることを特徴とする請求項１に記載の受信機システム。
【発明の詳細な説明】
【技術分野】
【０００１】
本発明は、受信機システムに関するもので、たとえば、局部発振回路（ＯＳＣ）の発振周波数の所望の受信周波数からのずれを自動的に修正できるようにした、デジタルＡＦＣ（Ａｕｔｏｍａｔｉｃ  Ｆｒｅｑｕｅｎｃｙ  Ｃｏｎｔｒｏｌ）方式の周波数自動修正機能を備えたチューナーシステムに関する。
【背景技術】
【０００２】
ＡＭまたはＦＭラジオ受信機などのチューナーシステムにおいては、所望の局の放送を安定に受信できるようにするために、専ら、ＰＬＬ（Ｐｈａｓｅ  Ｌｏｃｋｅｄ  Ｌｏｏｐ）方式と呼ばれる周波数自動修正機能が採用されてきた。また、近年では、この周波数自動修正機能のコストパフォーマンスを下げ、より安価なチューナーシステムの提供を可能にする、デジタルＡＦＣ方式と呼ばれる周波数自動修正機能の採用が主流になりつつある（たとえば、特許文献１参照）。
【０００３】
ところで、チューナーシステムにおいて、所望の局の放送を安定に受信できるようにするためには、受信局（所望の局からの送信信号の受信周波数）を維持する必要がある。そのために、上記した周波数自動修正機能が用意されている。すなわち、従来のチューナーシステムにおいては、ＯＳＣの発振周波数の所望の受信周波数からのずれを自動的に修正することにより、受信局の維持が実現されている。
【０００４】
しかしながら、デジタルＡＦＣ方式の周波数自動修正機能、特に、ＩＦ（Ｉｎｔｅｒｍｅｄｉａｔｅ  Ｆｒｅｑｕｅｎｃｙ）信号を監視するタイプのデジタルＡＦＣ方式の周波数自動修正機能にあっては、妨害信号を受信した場合に、ＯＳＣの発振周波数の所望の受信周波数からのずれを自動的に修正できなくなるという問題があった。すなわち、妨害信号を受信すると、ＩＦ信号の周波数を検出できなくなるため、その妨害信号の周波数に対するずれを自動的に修正すべく、ＯＳＣの発振周波数を調整するように周波数自動修正機能が働く。その結果、受信局を維持できなくなり、所望の局の放送を安定に受信できなくなる。そればかりか、妨害信号がなくなっても、ＯＳＣの発振周波数の所望の受信周波数からのずれを修正できず、妨害信号を受信するように、ＯＳＣの発振周波数が所望の受信周波数からずれたままになるという不具合が合った。
【特許文献１】特開平９−１８６５５５号公報
【発明の開示】
【発明が解決しようとする課題】
【０００５】
本発明は、上記の問題点を解決すべくなされたもので、妨害信号を受信した場合にも発振器の発振周波数の所望の受信周波数からのずれを自動的に修正でき、妨害信号に強く、安価で性能のよい受信機システムを提供することを目的としている。
【課題を解決するための手段】
【０００６】
本願発明の一態様によれば、受信状態にある送信信号の受信周波数に同調して発振する発振器と、前記発振器の発振周波数を調整するための調整回路と、前記発振器の発振周波数を計測する計測回路と、任意の計測期間内における、前記計測回路での計測値を所望の規格値と比較し、前記発振周波数が規定の周波数範囲内にあるかを判定する判定回路と、前記判定回路の判定結果にしたがって前記調整回路を制御する制御回路とを具備したことを特徴とする受信機システムが提供される。
【発明の効果】
【０００７】
上記の構成により、妨害信号を受信した場合にも発振器の発振周波数の所望の受信周波数からのずれを自動的に修正でき、妨害信号に強く、安価で性能のよい受信機システムを提供できる。
【発明を実施するための最良の形態】
【０００８】
以下、本発明の実施の形態について図面を参照して説明する。ただし、図面は模式的なものであり、各図面の寸法や比率などは現実のものとは異なることに留意すべきである。また、図面の相互間においても、互いの寸法の関係や比率が異なる部分が含まれていることは勿論である。特に、以下に示すいくつかの実施の形態は、本発明の技術思想を具体化するための装置や方法を例示したものであって、構成部品の形状、構造、配置などによって、本発明の技術思想が特定されるものではない。この発明の技術的思想は、その要旨を逸脱しない範囲において、種々の変更を加えることができる。
【０００９】
［第１の実施形態］
図１は、本発明の第１の実施形態にしたがった、チューナーシステム（受信機システム）の基本構成を示すものである。なお、ここでは、携帯電話などの携帯型の電子機器（携帯端末）に搭載される、デジタルＡＦＣ（Ａｕｔｏｍａｔｉｃ  Ｆｒｅｑｕｅｎｃｙ  Ｃｏｎｔｒｏｌ）方式の周波数自動修正機能を備えたＦＭラジオ受信機を例に説明する。
【００１０】
図１において、ＭＣＵ（Ｍｉｃｒｏｃｏｍｐｕｔｅｒ  Ｃｏｎｔｒｏｌ  Ｕｎｉｔ）１０は、このＦＭラジオ受信機１００が搭載される携帯端末に設けられた外部コントローラとしての端末制御装置である。本実施形態の場合、ＦＭラジオ受信機１００は、ＩＣ（Ｉｎｔｅｇｒａｔｅｄ  Ｃｉｒｃｕｉｔ）チップ化されており、バス通信ライン１１を介して、ＭＣＵ１０との間でバス通信を行うためのバスコントローラ（ＢＵＳ  Ｃｏｎｔｒｏｌ）１０１を備えている。
【００１１】
また、このＦＭラジオ受信機１００には、アンテナ１０２、ミキサー１０３、ＩＦ（Ｉｎｔｅｒｍｅｄｉａｔｅ  Ｆｒｅｑｕｅｎｃｙ）回路１０４、信号処理回路１０５、局部発振回路（ＯＳＣ）１０６、粗調用のキャパシタバンク（ＲＦ−ＶＣＯ１）１０７、微調用のバリキャップ（ＲＦ−ＶＣＯ２）ＶＲ１、ＡＦＣ用のバリキャップ（ＲＦ−ＶＣＯ２）ＶＲ２、分周回路１０８、ゲート回路１０９、カウンタ回路１１０、Ｎ値記憶用バッファ回路１１１、規格幅設定値記憶用バッファ回路１１２、演算回路１１３、規格値保持回路１１４、比較回路１１５、判定回路１１６、および、ＶＲ２制御回路１１７などが設けられている。
【００１２】
アンテナ１０２は、所望の局からの放送（送信信号）を受信するためのものであり、ミキサー１０３は、アンテナ１０２で受信した送信信号とＯＳＣ１０６から出力される局部発振信号とを混合させて受信信号を生成するものである。本実施形態においては、アンテナ１０２およびミキサー１０３によって受信器が構成されている。
【００１３】
ＩＦ回路１０４は変換器であり、ミキサー１０３の出力である受信信号を中間周波（ＩＦ）信号に変換するものである。
【００１４】
信号処理回路１０５は生成回路であり、ＩＦ信号の増幅、振幅制限およびＦＭ検波などを行うとともに、ＦＭ検波出力であるステレオコンポジット信号から左右（Ｌ，Ｒ）のステレオ音声出力（音声信号）を生成し、それを外部に出力するものである。
【００１５】
ＯＳＣ１０６は局部発振信号を出力するためのもので、キャパシタバンク１０７の粗調整動作およびバリキャップＶＲ１，ＶＲ２の微調整動作に応じて、その発振周波数が変化するＬＣ発振器である。
【００１６】
キャパシタバンク１０７は、ＯＳＣ１０６の発振周波数を粗調整するための調整回路であって、たとえば、容量の異なる複数のコンデンサおよびコンデンサを選択するためのスイッチを有している。すなわち、このキャパシタバンク１０７は、ＯＳＣ１０６の発振周波数が所望の局の受信周波数に合致（同調）するように、バスコントローラ１０１を介して供給される調整信号に応じてコンデンサの容量が切り換えられる。
【００１７】
バリキャップＶＲ１，ＶＲ２は、それぞれ、ＯＳＣ１０６の発振周波数を微調整するための調整回路であって、たとえば、バリキャップダイオード、コンデンサおよび抵抗素子を有している。バリキャップＶＲ１は、ＯＳＣ１０６の発振周波数が所望の局の受信周波数に合致するように、バスコントローラ１０１を介して供給される調整信号（抵抗素子に与えられる電流）に応じてコンデンサの見かけ上の容量が切り換えられる。バリキャップＶＲ２は、ＯＳＣ１０６の発振周波数が所望の局の受信周波数に合致するように、ＶＲ２制御回路１１７より供給される調整信号（抵抗素子に与えられる電流）に応じてコンデンサの見かけ上の容量が切り換えられる。バリキャップＶＲ１，ＶＲ２としては、別個に設けずに、１つのバリキャップを兼用するように構成することも可能である。
【００１８】
分周回路１０８は、後段のカウンタ回路１１０での計測動作速度などに応じて、ＯＳＣ１０６からの局部発振信号（発振周波数）を分周するものである。
【００１９】
ゲート回路１０９は、バス通信ライン１１を介さずに、ＭＣＵ１０より定期的または不定期的に出力される、カウンタ回路１１０での計測期間を正確に制御するための制御信号（ゲート時間）にしたがって、一定期間（任意の計測期間）内のみ、カウンタ回路１１０に分周回路１０８からの分周出力を供給するものである。
【００２０】
カウンタ回路１１０は計測回路であって、ゲート回路１０９を介して供給される一定期間内の分周出力をカウントすることにより、擬似的にＯＳＣ１０６の発振周波数を計測するものである。
【００２１】
バッファ回路１１１は、バスコントローラ１０１を介して与えられるＮ値（基準値）を記憶するためのもので、Ｎ値としては、ＩＦ信号の周波数（たとえば、１１０ＫＨｚ）が検出された際の、ＯＳＣ１０６の発振周波数が与えられる。なお、本実施形態においては、Ｎ値がバスコントローラ１０１より与えられるため、このバッファ回路１１１を省略することもできる。
【００２２】
バッファ回路１１２は、バスコントローラ１０１を介して与えられる規格幅設定値を記憶するためのもので、規格幅設定値としては、所望の局の受信周波数からのＯＳＣ１０６の発振周波数のずれの許容範囲（所望の規格値）を規格化するためのデータが与えられる。たとえば、所望の局の放送を安定に受信できる範囲の、ＯＳＣ１０６の発振周波数のずれが、受信周波数に対して＋／−数％の場合、その数％というデータが規格幅設定値として与えられる。なお、本実施形態においては、規格幅設定値がバスコントローラ１０１より与えられるため、このバッファ回路１１２を省略することもできる。
【００２３】
演算回路１１３は、バッファ回路１１１内のＮ値とバッファ回路１１２内の規格幅設定値とから、実際の規格値（ずれの許容範囲）を決定するためのものである。なお、所望の規格値をバスコントローラ１０１より与えることも可能であり、この演算回路１１３は必須の構成要件ではない。
【００２４】
規格値保持回路１１４は、演算回路１１３によって規格化された規格値を保持するものである。
【００２５】
比較回路１１５は、規格値保持回路１１４で保持されている規格値と、カウンタ回路１１０による計測値であるＯＳＣ１０６の発振周波数とを比較し、その比較結果を判定回路１１６に出力するものである。
【００２６】
判定回路１１６は、比較回路１１５からの比較結果をもとに、ＯＳＣ１０６の発振周波数が規格値に応じた規定の周波数範囲（ずれの許容範囲）内にあるか否かを判定するものである。
【００２７】
ＶＲ２制御回路１１７は、判定回路１１６での判定結果にしたがってバリキャップＶＲ２を制御するもので、たとえば、８ビットのアップ／ダウンカウンタにより構成されている。つまり、８ビットの調整信号により、バリキャップＶＲ２の抵抗素子に与えられる電流が制御される。
【００２８】
バスコントローラ１０１は、ＭＣＵ１０との間でのバス通信を制御するもので、ＭＣＵ１０より与えられる選局情報などに応じて、キャパシタバンク１０７およびバリキャップＶＲ１，ＶＲ２への調整信号、バッファ回路１１１へのＮ値、および、バッファ回路１１２への規格幅設定値などを出力する。また、バスコントローラ１０１は、カウンタ回路１１０より与えられる計測値（周波数検出結果）または判定回路１１６より与えられる判定結果にしたがって、キャパシタバンク１０７およびバリキャップＶＲ１，ＶＲ２への調整信号を出力する。このバスコントローラ１０１は、ＭＣＵ１０に対して、ＩＦ回路１０４からの出力（ＩＦ信号）、カウンタ回路１１０からの出力（周波数検出結果としての計測値）、または、判定回路１１６からの出力（判定結果）などを供給することもできる。
【００２９】
ＭＣＵ１０は、図示せぬ携帯端末の制御のほか、ユーザの操作による、所望の局の放送を受信するための選局情報などに応じて、このＦＭラジオ受信機１００を制御するものであって、たとえば制御信号を定期的に出力するための、クリスタル発振による高精度のクロック発生器（図示していない）を有している。
【００３０】
次に、上記した構成において、ＦＭラジオ受信機１００の動作について説明する。まず、ユーザの操作によって、ＦＭラジオ受信機１００のスイッチが投入されたことを示すモード選択情報、および、所望の局の放送を受信するための選局情報（所望の局の受信周波数）などが入力されたとする（選局動作時）。すると、これを受けたＭＣＵ１０は、ＦＭラジオ受信機１００を動作可能な状態（携帯端末の主な動作は待機状態）にするとともに、バス通信ライン１１を介して、ＦＭラジオ受信機１００のバスコントローラ１０１にバス通信により選局情報を送信する。
【００３１】
これに対し、バスコントローラ１０１では、ＭＣＵ１０からの選局情報に対応する調整信号を求め、それをキャパシタバンク１０７およびバリキャップＶＲ１に出力する。これにより、キャパシタバンク１０７およびバリキャップＶＲ１において、その調整信号に応じた粗調動作および微調動作が行われる。また、バスコントローラ１０１は、ＭＣＵ１０からの選局情報に応じた規格幅設定値を設定し、バッファ回路１１２に記憶させる。
【００３２】
キャパシタバンク１０７での粗調動作およびバリキャップＶＲ１での微調動作が行われることにより、ＯＳＣ１０６は、その粗調動作および微調動作に応じた発振周波数で発振動作し、ミキサー１０３および分周回路１０８に局部発振信号を出力する。ミキサー１０３では、ＯＳＣ１０６からの局部発信信号とアンテナ１０２により受信された送信信号とを混合し、受信信号を生成する。そして、その受信信号をＩＦ回路１０４に出力する。
【００３３】
ＩＦ回路１０４では、ミキサー１０３からの受信信号をＩＦ信号に変換し、信号処理回路１０５およびバスコントローラ１０１に出力する。このとき、ＩＦ信号の周波数（たとえば、１１０ＫＨｚ）が得られる場合には、選局動作は終了され、信号処理回路１０５において、ＩＦ信号の増幅、振幅制限およびＦＭ検波などが行われるとともに、ステレオ音声出力が生成されて、Ｌ，Ｒ端子より出力され、受信状態となる。
【００３４】
受信状態を保持するために、ＭＣＵ１０からバスコントローラ１０１へ、デジタルＡＦＣを動作状態へ移行させる命令を出力する。
【００３５】
これ以降、ＭＣＵ１０とバスコントローラ１０１との間のバス通信は、ＭＣＵ１０に新たなモード選択情報または選局情報などが入力されるまで中止される。
【００３６】
この状態においては、デジタルＡＦＣ方式の周波数自動修正機能が働き、ＯＳＣ１０６の発振周波数の、所望の局の放送を受信するための送信信号の受信周波数からのずれが定期的にチェックされて、その受信周波数にＯＳＣ１０６の発振周波数が合致（同調）するように、バリキャップＶＲ２の調整が自動的に行われる。すなわち、ＩＦ信号の周波数が得られる場合には、分周回路１０８で、ＯＳＣ１０６からの局部発振信号の発振周波数を分周し、カウンタ回路１１０で、一定期間内の分周出力を定期的にカウントすることによって、ＯＳＣ１０６の発振周波数を擬似的に計測する。そして、その計測結果である周波数検出出力にもとづいて、バスコントローラ１０１は調整信号を生成し、常に受信局を維持するように、バリキャップＶＲ２を制御する。また、バスコントローラ１０１は、ＩＦ信号の周波数が得られる場合の周波数検出出力に応じたＮ値を設定し、バッファ回路１１１に記憶させる。
【００３７】
より具体的には、分周回路１０８で、ＯＳＣ１０６からの局部発振信号の発振周波数を分周する。そして、その分周出力を、ゲート回路１０９を介して、カウンタ回路１１０に出力する。これにより、カウンタ回路１１０は、一定期間、分周回路１０８からの分周出力をカウントすることによって、ＯＳＣ１０６の発振周波数を擬似的に計測する。このとき、ＭＣＵ１０から定期的に供給される制御信号によってゲート回路１０９を制御することにより、カウンタ回路１１０での計測期間が正確に維持される。
【００３８】
さらに、比較回路１１５において、カウンタ回路１１０からの計測値を、Ｎ値および規格幅設定値をもとに演算回路１１３にて規格化され、規格値保持回路１１４で保持された規格値と比較する。そして、その比較結果を、判定回路１１６に出力する。これにより、判定回路１１６では、比較回路１１５からの比較結果をもとに、ＯＳＣ１０６の発振周波数が規格値に応じた規定の周波数範囲（ずれの許容範囲）内にあるか否かを判定する。
【００３９】
判定回路１１６での判定の結果、ＯＳＣ１０６の発振周波数のずれが許容範囲内にない場合、ＶＲ２制御回路１１７は、ＯＳＣ１０６の発振周波数のずれが許容範囲内となるように、調整信号によりバリキャップＶＲ２を微調整する。
【００４０】
このようにして、ＩＦ信号の周波数が得られるまで、上記の動作を繰り返することにより、最終的には、ＯＳＣ１０６の発振周波数を所望の局の受信周波数に合致させることが可能となる。すなわち、デジタルＡＦＣ方式の周波数自動修正機能において、ＯＳＣ１０６の発振周波数の所望の受信周波数からのずれに応じてバリキャップＶＲ２を微調整するようにしたことにより、結果として、ＩＦ信号の周波数によらず、受信局を維持できるようになる。したがって、たとえ妨害信号を受信した場合にも、受信局を維持できなくなり、所望の局の放送を安定に受信できなくなったり、ＯＳＣの発振周波数が所望の受信周波数からずれたままになるという不具合を解決できる。
【００４１】
なお、上記した判定回路１１６での判定の結果、ＯＳＣ１０６の発振周波数のずれが許容範囲内にある場合には、バスコントローラ１０１によって、再度、上述した選局動作を行うようにしてもよい。なぜならば、通常、このような状況はあり得ないため、その場合には、Ｎ値または規格幅設定値の誤設定などが考えられるので、上述した選局動作をやり直すことも有効である。
【００４２】
上記したように、ＯＳＣの発振周波数の所望の受信周波数からのずれに応じて、ＯＳＣの発振周波数を自動的に修正するようにしたので、デジタルＡＦＣ方式の周波数自動修正機能を備えたＦＭラジオ受信機において、ＩＦ信号の周波数によらず、常に受信局を維持できるようになる。その結果、たとえ妨害信号を受信した場合にも、ＯＳＣの発振周波数の所望の受信周波数からのずれを自動的に修正できるようになるなど、妨害信号に強く、安価で性能のよいＦＭラジオ受信機を提供できる。
【００４３】
特に、受信状態においては、ＭＣＵとの間でのバス通信を不要とすることができるため、受信局を維持するための動作において、バス通信によるノイズの影響を受けることもない。
【００４４】
［第２の実施形態］
図２は、本発明の第２の実施形態にしたがった、チューナーシステム（受信機システム）の基本構成を示すものである。ここでは、携帯電話などの携帯型の電子機器（携帯端末）に搭載される、デジタルＡＦＣ方式の周波数自動修正機能を備えたＦＭラジオ受信機を例に説明する。なお、図１と同一部分には同一符号を付し、ここでの詳しい説明は割愛する。
【００４５】
本実施形態に示すＦＭラジオ受信機２００は、カウンタ回路１１０の計測値である周波数検出出力をＮ値（基準値）として用いるようにしたものであって、この点で、第１の実施形態に示したＦＭラジオ受信機１００と相違している（図１参照）。すなわち、このＦＭラジオ受信機２００は、たとえば図２に示すように、比較回路１１５において、カウンタ回路１１０からの計測値を、ＩＦ信号の周波数が検出された際の計測値および規格幅設定値をもとに演算回路１１３にて規格化され、規格値保持回路１１４で保持された規格値と比較するように構成されている。それ以外は、第１の実施形態に示したＦＭラジオ受信機１００と同様の構成を有している。
【００４６】
たとえば、このＦＭラジオ受信機２００の場合、アンテナ１０２、ミキサー１０３、ＩＦ回路１０４、信号処理回路１０５、ＯＳＣ１０６、キャパシタバンク（ＲＦ−ＶＣＯ１）１０７、バリキャップ（ＲＦ−ＶＣＯ２）ＶＲ１，ＶＲ２、分周回路１０８、ゲート回路１０９、カウンタ回路１１０、規格幅設定値記憶用バッファ回路１１２、演算回路１１３、規格値保持回路１１４、比較回路１１５、判定回路１１６、および、ＶＲ２制御回路１１７を有して構成されている。
【００４７】
このような構成とした場合、妨害信号およびバス通信によるノイズに強いだけでなく、演算の際に、カウンタ回路１１０からのＮ値の供給が可能となるため、バスコントローラ１０１からのＮ値を記憶するためのバッファ回路が不要となるなど、構成のより簡素化が図れる。
【００４８】
なお、上記した第１，第２の実施形態においては、いずれも、ＦＭラジオ受信機に適用した場合を例に説明したが、これに限らず、ＡＭラジオ受信機にも同様に適用できる。ＡＭラジオ受信機の場合、Ｎ値としては、たとえば４５ＫＨｚ（ＩＦ信号の周波数）が検出された際の、ＯＳＣの発振周波数が与えられる。また、ＦＭラジオ受信機およびＡＭラジオ受信機においては、外部（携帯端末側）のＭＣＵによって制御されるものに限らず、たとえば、コントローラを内蔵するタイプのものであってもよい。
【００４９】
また、携帯電話に限らず、各種の携帯型の電子機器に用いて好適である。
【００５０】
その他、本願発明は、上記（各）実施形態に限定されるものではなく、実施段階ではその要旨を逸脱しない範囲で種々に変形することが可能である。さらに、上記（各）実施形態には種々の段階の発明が含まれており、開示される複数の構成要件における適宜な組み合わせにより種々の発明が抽出され得る。たとえば、（各）実施形態に示される全構成要件からいくつかの構成要件が削除されても、発明が解決しようとする課題の欄で述べた課題（の少なくとも１つ）が解決でき、発明の効果の欄で述べられている効果（の少なくとも１つ）が得られる場合には、その構成要件が削除された構成が発明として抽出され得る。
【図面の簡単な説明】
【００５１】
【図１】本発明の第１の実施形態にしたがった、受信機システム（ＦＭラジオ受信機）の構成例を示す回路ブロック図。
【図２】本発明の第２の実施形態にしたがった、受信機システム（ＦＭラジオ受信機）の構成例を示す回路ブロック図。
【符号の説明】
【００５２】
１０…ＭＣＵ、１００，２００…ＦＭラジオ受信機、１０１…バスコントローラ、１０２…アンテナ、１０３…ミキサー、１０４…ＩＦ回路、１０５…信号処理回路、１０６…ＯＳＣ、１０７…キャパシタバンク、ＶＲ１，ＶＲ２…バリキャップ、１０８…分周回路、１１０…カウンタ回路、１１４…規格値保持回路、１１５…比較回路、１１６…判定回路、１１７…ＶＲ２制御回路。
【図１】
2008060706.tif 000003
【図２】
2008060706.tif 000004